(57)【要約】【課題】品質に応じた公平な価格決定の仕組みを有し、消費者の購買意欲を高める販売用コンテンツを作成することができる農作物買取システム等を提供する。【解決手段】買取端末５は、農作物を検査する検査機器７を制御し、農作物の重さ、見栄え、糖度などを検査して、検査結果を管理サーバ３に送信する。管理サーバ３は、栽培地ごとの作業履歴を示す作業履歴情報、作物種別ごとに、検査結果に関する判定項目に基づいて品質ランクを判定するための判定基準を示す品質判定表、作物種別と品質ランクごとに、農作物の単位量当たりの買取価格を示す買取価格表を保持する。買取サーバ３は、買取端末５から受信した検査結果を品質判定表の判定基準と比較して品質ランクを判定する。更に、買取サーバ３は、判定した品質ランクと買取価格表に基づいて買取価格を算出する。【選択図】図１
2010287021.tif 000002
【特許請求の範囲】
【請求項１】
農作物の買い取りに用いられる買取端末とネットワークを介して接続される管理サーバであって、
農作物の生産者を一意に識別する生産者ＩＤと、前記栽培地ＩＤとを含む生産者情報を記録するデータベースである生産者情報データベースと、
農作物の種別を一意に識別する作物種別ＩＤごとに、買取時の農作物の検査結果を示す検査結果情報に関する判定項目に基づいて品質ランクを判定するための判定基準を示す品質判定表を変更可能に記録する品質判定表記録手段と、
前記作物種別ＩＤおよび前記品質ランクごとに、単位量当たりの買取価格を示す買取価格表を変更可能に記録する買取価格表記録手段と、
前記買取端末から前記生産者ＩＤ、前記作物種別ＩＤ、前記検査結果情報を受信する受信手段と、
前記検査結果情報を取得し、前記品質判定表の判定基準と比較して前記品質ランクを判定する品質ランク判定手段と、
前記検査結果情報と、前記品質ランク判定手段によって判定された前記品質ランクと、前記買取価格表に基づいて買取価格を算出し、前記買取端末に送信する買取価格送信手段と、
を具備することを特徴とする管理サーバ。
【請求項２】
農作物の栽培地を一意に識別する栽培地ＩＤと、農作業を実行した日時を示す作業日時と、実行した農作業の内容を示す作業内容とを含む作業履歴情報を記録するデータベースである作業履歴情報データベース、を更に具備し、
前記品質判定表は、更に前記作業履歴情報に関する判定項目を含み、
前記品質ランク判定手段は、更に前記作業履歴情報を取得して前記品質ランクを判定することを特徴とする請求項１に記載の管理サーバ。
【請求項３】
前記生産者情報、前記作業履歴情報、前記検査結果情報のうち少なくとも１つを取得し、予め定められたフォーマットに応じて農作物の販売用コンテンツを作成する販売用コンテンツ作成手段、
を更に具備することを特徴とする請求項２に記載の管理サーバ。
【請求項４】
前記買取価格送信手段は、前記販売用コンテンツ作成手段が前記生産者情報に基づいて前記販売用コンテンツを作成する場合には、所定額を上乗せした買取価格を送信することを特徴とする請求項３に記載の管理サーバ。
【請求項５】
更に、農作物の画像を取得する画像取得端末とネットワークを介して接続され、
農作物の画像を前記画像取得端末から定期的に受信する画像受信手段と、
受信した農作物の画像を時系列で記録するデータベースである生育履歴情報データベースと、
を更に備え、
前記販売用コンテンツ作成手段は、農作物の画像を利用して前記販売用コンテンツを作成することを特徴とする請求項３に記載の管理サーバ。
【請求項６】
前記販売用コンテンツ作成手段は、前記生産者情報、前記作業履歴情報、前記検査結果情報のうち少なくとも１つが特定の条件を満たす場合には、予め登録されている特定コンテンツを含めて前記販売用コンテンツを作成することを特徴とする請求項３に記載の管理サーバ。
【請求項７】
前記買取価格表の単位量当たりの買取価格を、農作物の市場価格と連動して変更する買取価格変更手段、を更に具備することを特徴とする請求項１に記載の管理サーバ。
【請求項８】
前記画像取得端末から受信する農作物の画像に基づいて、農作物の成熟度を判定し、生産者に判定した農作物の成熟度に応じた農作業を提案する農作業提案手段、を更に具備することを特徴とする請求項５に記載の管理サーバ。
【請求項９】
農作物の買い取りに用いられる買取端末と、システム全体を管理する管理サーバとがネットワークを介して接続される農作物買取システムであって、
前記買取端末は、
前記生産者ＩＤ、及び前記作物種別ＩＤを入力するとともに、検査機器を制御して買取時の農作物の検査を行い、前記生産者ＩＤと、前記作物種別ＩＤと、農作物の検査結果を示す検査結果情報とを前記管理サーバに送信する手段、
を具備し、
前記管理サーバは、
前記生産者ＩＤと、前記栽培地ＩＤとを含む生産者情報を記録するデータベースである生産者情報データベースと、
前記作物種別ＩＤごとに、前記検査結果情報に関する判定項目に基づいて品質ランクを判定するための判定基準を示す品質判定表を変更可能に記録する品質判定表記録手段と、
前記作物種別ＩＤおよび前記品質ランクごとに、単位量当たりの買取価格を示す買取価格表を変更可能に記録する買取価格表記録手段と、
前記買取端末から前記生産者ＩＤ、前記作物種別ＩＤ、前記検査結果情報を受信する受信手段と、
前記検査結果情報を取得し、前記品質判定表の判定基準と比較して前記品質ランクを判定する品質ランク判定手段と、
前記検査結果情報と、前記品質ランク判定手段によって判定された前記品質ランクと、前記買取価格表に基づいて買取価格を算出し、前記買取端末に送信する買取価格送信手段と、
を具備することを特徴とする農作物買取システム。
【請求項１０】
更に、農作業を実行する作業機器を制御する端末である作業端末を含み、
前記管理サーバは、農作物の栽培地を一意に識別する栽培地ＩＤと、農作業を実行した日時を示す作業日時と、実行した農作業の内容を示す作業内容とを含む作業履歴情報を記録するデータベースである作業履歴情報データベース、を更に具備し、前記作業端末から受信する作業履歴情報を前記作業履歴情報データベースに記録することを特徴とする請求項９に記載の農作物買取システム。
【請求項１１】
更に、農作物の生産者の端末である生産者端末を含み、
前記管理サーバは、農作物の栽培地を一意に識別する栽培地ＩＤと、農作業を実行した日時を示す作業日時と、実行した農作業の内容を示す作業内容とを含む作業履歴情報を記録するデータベースである作業履歴情報データベース、を更に具備し、前記生産者端末から受信する作業履歴情報を前記作業履歴情報データベースに記録することを特徴とする請求項９に記載の農作物買取システム。
【請求項１２】
農作物の買い取りに用いられる買取端末と、システム全体を管理する管理サーバとがネットワークを介して接続される農作物買取システムにおける農作物買取方法であって、
前記管理サーバは、
農作物の生産者を一意に識別する生産者ＩＤと、前記栽培地ＩＤとを含む生産者情報を記録するデータベースである生産者情報データベースと、
農作物の種別を一意に識別する作物種別ＩＤごとに、前記検査結果情報に関する判定項目に基づいて品質ランクを判定するための判定基準を示す品質判定表と、
前記作物種別ＩＤおよび前記品質ランクごとに、単位量当たりの買取価格を示す買取価格表と、
を備え、
前記買取端末が、前記生産者ＩＤ、及び前記作物種別ＩＤを入力するとともに、検査機器を制御して買取時の農作物の検査を行い、前記生産者ＩＤと、前記作物種別ＩＤと、農作物の検査結果を示す検査結果情報とを前記管理サーバに送信するステップと、
前記管理サーバが、前記買取端末から前記生産者ＩＤ、前記作物種別ＩＤ、前記検査結果情報を受信するステップと、
前記管理サーバが、前記検査結果情報を取得し、前記品質判定表の判定基準と比較して前記品質ランクを判定する品質ランク判定ステップと、
前記管理サーバが、前記検査結果情報と、前記品質ランク判定ステップによって判定された前記品質ランクと、前記買取価格表に基づいて買取価格を算出し、前記買取端末に送信するステップと、
を含むことを特徴とする農作物買取方法。
【請求項１３】
コンピュータを請求項１から請求項８のいずれかに記載の管理サーバとして機能させるプログラム。
【請求項１４】
コンピュータを請求項１から請求項８のいずれかに記載の管理サーバとして機能させるプログラムを記録したコンピュータ読み取り可能な記録媒体。
【発明の詳細な説明】
【技術分野】
【０００１】
本発明は、貸し菜園などにおいて栽培された農作物の買い取りの管理を行う農作物買取システム等に関するものである。
【背景技術】
【０００２】
近年、食の安全が叫ばれる中、自ら農作物を栽培できる貸し菜園が人気を集めている。特に、大型スーパーなどが屋上または隣接地において貸し菜園を設けることで集客効果も期待される。このような貸し菜園において、農作物の収穫が一時期に集中してしまい、せっかく育てた農作物を借主が全て消費できない場合がある。このような場合、借主が消費できない残りの農作物をスーパー等が買い取ることが考えられる為、農作物の買い取りの管理を行うことができるシステムが望まれる。
【０００３】
特許文献１では、購買者の端末装置、生産者の端末装置、生産物を撮影する撮影装置、生産物の販売を仲介する生産物販売仲介装置からなり、購買者の端末装置からの要求に応じて、生産物の画像データの提供、生産物の販売の仲介を行う生産物販売仲介システムが記載されている。特許文献１に記載のシステムでは、購買者が時間の経過とともに状態が変化する生産物を監視することにより、生産物の状態を確認して購入を行うことができる。
【先行技術文献】
【特許文献】
【０００４】
【特許文献１】特開２００４−３３４５７２号公報
【発明の概要】
【発明が解決しようとする課題】
【０００５】
しかしながら、特許文献１に記載のシステムでは、農作物の品質に応じた客観的な価格を決定することができない。例えば、生産者が一般消費者、購買者がスーパーの場合、購買者側が価格を決定することになるが、公平な価格決定の仕組みでなければ一般消費者が不満を抱くことになる。
また、特許文献１に記載のシステムでは、購買者が農作物の最終消費者であることから、購買した農作物を再販するための販売用コンテンツを作成することができない。例えば、購買者がスーパーの場合、農作物の品質、安全性などが正確に記載され、消費者の購買意欲を高める販売用コンテンツを作成したいというニーズがある。
【０００６】
本発明は、前述した問題点に鑑みてなされたもので、その目的とすることは、品質に応じた公平な価格決定の仕組みを有し、消費者の購買意欲を高める販売用コンテンツを作成することができる農作物買取システム等を提供することである。
【課題を解決するための手段】
【０００７】
前述した目的を達成するために第１の発明は、農作物の買い取りに用いられる買取端末とネットワークを介して接続される管理サーバであって、農作物の生産者を一意に識別する生産者ＩＤと、前記栽培地ＩＤとを含む生産者情報を記録するデータベースである生産者情報データベースと、農作物の種別を一意に識別する作物種別ＩＤごとに、買取時の農作物の検査結果を示す検査結果情報に関する判定項目に基づいて品質ランクを判定するための判定基準を示す品質判定表を変更可能に記録する品質判定表記録手段と、前記作物種別ＩＤおよび前記品質ランクごとに、単位量当たりの買取価格を示す買取価格表を変更可能に記録する買取価格表記録手段と、前記買取端末から前記生産者ＩＤ、前記作物種別ＩＤ、前記検査結果情報を受信する受信手段と、前記検査結果情報を取得し、前記品質判定表の判定基準と比較して前記品質ランクを判定する品質ランク判定手段と、前記検査結果情報と、前記品質ランク判定手段によって判定された前記品質ランクと、前記買取価格表に基づいて買取価格を算出し、前記買取端末に送信する買取価格送信手段と、を具備することを特徴とする管理サーバである。
【０００８】
第２の発明は、農作物の買い取りに用いられる買取端末と、システム全体を管理する管理サーバとがネットワークを介して接続される農作物買取システムであって、前記買取端末は、前記生産者ＩＤ、及び前記作物種別ＩＤを入力するとともに、検査機器を制御して買取時の農作物の検査を行い、前記生産者ＩＤと、前記作物種別ＩＤと、農作物の検査結果を示す検査結果情報とを前記管理サーバに送信する手段、を具備し、前記管理サーバは、前記生産者ＩＤと、前記栽培地ＩＤとを含む生産者情報を記録するデータベースである生産者情報データベースと、前記作物種別ＩＤごとに、前記検査結果情報に関する判定項目に基づいて品質ランクを判定するための判定基準を示す品質判定表を変更可能に記録する品質判定表記録手段と、前記作物種別ＩＤおよび前記品質ランクごとに、単位量当たりの買取価格を示す買取価格表を変更可能に記録する買取価格表記録手段と、前記買取端末から前記生産者ＩＤ、前記作物種別ＩＤ、前記検査結果情報を受信する受信手段と、前記検査結果情報を取得し、前記品質判定表の判定基準と比較して前記品質ランクを判定する品質ランク判定手段と、前記検査結果情報と、前記品質ランク判定手段によって判定された前記品質ランクと、前記買取価格表に基づいて買取価格を算出し、前記買取端末に送信する買取価格送信手段と、を具備することを特徴とする農作物買取システムである。
【０００９】
第３の発明は、農作物の買い取りに用いられる買取端末と、システム全体を管理する管理サーバとがネットワークを介して接続される農作物買取システムにおける農作物買取方法であって、前記管理サーバは、農作物の生産者を一意に識別する生産者ＩＤと、前記栽培地ＩＤとを含む生産者情報を記録するデータベースである生産者情報データベースと、農作物の種別を一意に識別する作物種別ＩＤごとに、前記検査結果情報に関する判定項目に基づいて品質ランクを判定するための判定基準を示す品質判定表と、前記作物種別ＩＤおよび前記品質ランクごとに、単位量当たりの買取価格を示す買取価格表と、を備え、前記買取端末が、前記生産者ＩＤ、及び前記作物種別ＩＤを入力するとともに、検査機器を制御して買取時の農作物の検査を行い、前記生産者ＩＤと、前記作物種別ＩＤと、農作物の検査結果を示す検査結果情報とを前記管理サーバに送信するステップと、前記管理サーバが、前記買取端末から前記生産者ＩＤ、前記作物種別ＩＤ、前記検査結果情報を受信するステップと、前記管理サーバが、前記検査結果情報を取得し、前記品質判定表の判定基準と比較して前記品質ランクを判定する品質ランク判定ステップと、前記管理サーバが、前記検査結果情報と、前記品質ランク判定ステップによって判定された前記品質ランクと、前記買取価格表に基づいて買取価格を算出し、前記買取端末に送信するステップと、を含むことを特徴とする農作物買取方法である。
【００１０】
第４の発明は、コンピュータを第１の発明の管理サーバとして機能させるプログラムである。
【００１１】
第５の発明は、コンピュータを第１の発明の管理サーバとして機能させるプログラムを記録したコンピュータ読み取り可能な記録媒体である。
【発明の効果】
【００１２】
本発明により、品質に応じた公平な価格決定の仕組みを有し、消費者の購買意欲を高める販売用コンテンツを作成することができる農作物買取システム等を提供することができる。
【図面の簡単な説明】
【００１３】
【図１】第１の実施の形態に係るシステム概要図
【図２】管理サーバ３のハードウエア構成図
【図３】買取端末５のハードウエア構成図
【図４】生産者情報５０の一例を示す図
【図５】栽培地情報６０の一例を示す図
【図６】作業履歴情報７０の一例を示す図
【図７】検査結果情報８０の一例を示す図
【図８】品質判定表９０の一例を示す図
【図９】買取価格情報１００の一例を示す図
【図１０】第１の実施の形態に係る農作物買取処理の詳細を示すフローチャート
【図１１】第２の実施の形態に係るシステム概要図
【図１２】生産者情報５０ａの一例を示す図
【図１３】画像取得端末１１０の一例を示す図
【図１４】生育履歴情報１２０の一例を示す図
【図１５】販売コンテンツ情報１３０の一例を示す図
【図１６】第１の作業履歴登録処理の流れを示すフローチャート
【図１７】第２の作業履歴登録処理の流れを示すフローチャート
【図１８】生育状況取得処理の流れを示すフローチャート
【図１９】第２の実施の形態に係る農作物買取処理の詳細を示すフローチャート
【図２０】買取価格更新処理の流れを示すフローチャート
【図２１】作業提案処理の流れを示すフローチャート
【発明を実施するための形態】
【００１４】
以下図面に基づいて、本発明の実施形態を詳細に説明する。
【００１５】
＜第１の実施の形態＞
図１は、第１の実施の形態に係るシステム概要図である。図１に示すように、農作物買取システム１は、管理サーバ３、買取端末５、検査機器７から構成されている。管理サーバ３、買取端末５は、ネットワーク９を介して接続されている。農作物買取システム１は、例えばスーパー等の農作物販売業者が生産者から農作物を買い取るためのシステムである。スーパー等は、例えば自らの敷地内に貸し菜園を有し、農作物を栽培する栽培地を一定の区画ごとに区分けして、複数の借主に貸し出す。スーパー等は、農作物買取システム１を利用して、借主が収穫した農作物を品質に応じて買い取る。以下、貸し菜園の借主は農作物を生産する者であるから、「生産者」と記載する。
【００１６】
管理サーバ３は、農作物買取システム１全体を管理するサーバである。管理サーバ３は、農作物の買い取り時、買取端末５の要求に応じて、生産者の認証、農作物の品質判定、買取価格の算出を行う。また、管理サーバ３は、買取価格の算出に必要な情報を保持する。
【００１７】
買取端末５は、農作物の買い取り時に使用する端末である。買取端末５は、農作物の買い取りに必要な情報を管理サーバ３に送る。また、買取端末５は、農作物を検査する検査機器７を制御する。
【００１８】
検査機器７は、農作物の重さ、見栄え、糖度などを検査する機器である。検査機器７は、農作物の重さ、見栄えなどを検査する外部検査装置、糖度などを検査する内部検査装置がある。外部検査装置は、例えば、複数方向から高精度撮影を行い、形状、色合い、傷、サイズなどを測定する。また、内部検査装置は、例えば、光センサを用いて非破壊的に糖度などを測定する。
【００１９】
ネットワーク９は、例えばＬＡＮ（Ｌｏｃａｌ  Ａｒｅａ  Ｎｅｔｗｏｒｋ）、インターネット等である。管理サーバ３および買取端末５は、光ファイバー、イーサネット（登録商標）、無線ＬＡＮ等を介してネットワーク９に接続する。
【００２０】
図２は、管理サーバ３のハードウエア構成図である。図２のハードウエア構成は一例であり、用途、目的に応じて様々な構成を採ることが可能である。
【００２１】
管理サーバ３は、制御部２１、記憶部２２、メディア入出力部２３、通信制御部２４、入力部２５、表示部２６、周辺機器Ｉ／Ｆ部２７等が、バス２８を介して接続される。
【００２２】
制御部２１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部２２、ＲＯＭ、記録媒体等に格納されるプログラムをＲＡＭ上のワークメモリ領域に呼び出して実行し、バス２８を介して接続された各装置を駆動制御し、管理サーバ３が行う後述する処理を実現する。
ＲＯＭは、不揮発性メモリであり、管理サーバ３のブートプログラムやＢＩＯＳ等のプログラム、データ等を恒久的に保持している。
ＲＡＭは、揮発性メモリであり、記憶部２２、ＲＯＭ、記録媒体等からロードしたプログラム、データ等を一時的に保持するとともに、制御部２１が各種処理を行う為に使用するワークエリアを備える。
【００２３】
記憶部２２は、ＨＤＤ（ハードディスクドライブ）であり、制御部２１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理を管理サーバ３に実行させるためのアプリケーションプログラムが格納されている。
これらの各プログラムコードは、制御部２１により必要に応じて読み出されてＲＡＭに移され、ＣＰＵに読み出されて各種の手段として実行される。
【００２４】
メディア入出力部２３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部２４は、通信制御装置、通信ポート等を有し、管理サーバ３とネットワーク９間の通信を媒介する通信インタフェースであり、ネットワーク９を介して、他のコンピュータ間との通信制御を行う。
【００２５】
入力部２５は、データの入力を行い、例えば、キーボード、マウス等のポインティングデバイス、テンキー等の入力装置を有する。入力部２５を介して、コンピュータに対して、操作指示、動作指示、データ入力等を行うことができる。
表示部２６は、ＣＲＴモニタ、液晶パネル等のディスプレイ装置、ディスプレイ装置と連携して管理サーバ３のビデオ機能を実現するための論理回路等（ビデオアダプタ等）を有する。
周辺機器Ｉ／Ｆ（インタフェース）部２７は、管理サーバ３に周辺機器を接続させるためのポートであり、周辺機器Ｉ／Ｆ部２７を介して管理サーバ３は周辺機器とのデータの送受信を行う。周辺機器Ｉ／Ｆ部２７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス２８は、各装置間の制御信号、データ信号等の授受を媒介する経路である。
【００２６】
図３は、買取端末５のハードウエア構成図である。図３のハードウエア構成は一例であり、用途、目的に応じて様々な構成を採ることが可能である。
【００２７】
買取端末５は、制御部３１、記憶部３２、機器制御部３３、通信制御部３４、入力部３５、表示部３６、周辺機器Ｉ／Ｆ部３７等が、バス３８を介して接続される。
【００２８】
制御部３１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部３２、ＲＯＭ、記録媒体等に格納されるプログラムをＲＡＭ上のワークメモリ領域に呼び出して実行し、バス３８を介して接続された各装置を駆動制御し、買取端末５が行う後述する処理を実現する。
ＲＯＭは、不揮発性メモリであり、買取端末５のブートプログラムやＢＩＯＳ等のプログラム、データ等を恒久的に保持している。
ＲＡＭは、揮発性メモリであり、記憶部３２、ＲＯＭ、記録媒体等からロードしたプログラム、データ等を一時的に保持するとともに、制御部３１が各種処理を行う為に使用するワークエリアを備える。
【００２９】
記憶部３２は、ＨＤＤ（ハードディスクドライブ）であり、制御部３１が実行するプログラム、プログラム実行に必要なデータ、ＯＳ（オペレーティングシステム）等が格納される。プログラムに関しては、ＯＳ（オペレーティングシステム）に相当する制御プログラムや、後述する処理を買取端末５に実行させるためのアプリケーションプログラムが格納されている。
これらの各プログラムコードは、制御部３１により必要に応じて読み出されてＲＡＭに移され、ＣＰＵに読み出されて各種の手段として実行される。
【００３０】
機器制御部３３は、検査機器７と信号の送受信を行い、検査機器７を制御する。
通信制御部３４は、通信制御装置、通信ポート等を有し、買取端末５とネットワーク９間の通信を媒介する通信インタフェースであり、ネットワーク９を介して、他のコンピュータ間との通信制御を行う。
【００３１】
入力部３５は、データの入力を行い、例えば、キーボード、マウス等のポインティングデバイス、テンキー等の入力装置を有する。入力部３５を介して、コンピュータに対して、操作指示、動作指示、データ入力等を行うことができる。
表示部３６は、ＣＲＴモニタ、液晶パネル等のディスプレイ装置、ディスプレイ装置と連携して買取端末５のビデオ機能を実現するための論理回路等（ビデオアダプタ等）を有する。
周辺機器Ｉ／Ｆ（インタフェース）部３７は、買取端末５に周辺機器を接続させるためのポートであり、周辺機器Ｉ／Ｆ部３７を介して買取端末５は周辺機器とのデータの送受信を行う。周辺機器Ｉ／Ｆ部３７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス３８は、各装置間の制御信号、データ信号等の授受を媒介する経路である。
【００３２】
次に、図４から図８を参照しながら、農作物買取システム１で用いられるデータについて説明する。
図４は、生産者情報５０の一例を示す図である。生産者情報５０は、管理サーバ３に予め登録されるデータベースであり、農作物の生産者を示すものである。図４に示すように、生産者情報５０は、少なくとも生産者ＩＤ５１、生産者名５２を含む。生産者ＩＤ５１は、生産者を一意に識別する情報である。生産者名５２は、生産者の氏名である。
図４に示す例では、例えば、生産者名５２が「Ａ」の生産者に対して、「１０００１」の生産者ＩＤ５１が付与されている。
管理サーバ３は、生産者情報５０を生産者情報データベースとして記憶部２２に保持する。
【００３３】
図５は、栽培地情報６０の一例を示す図である。栽培地情報６０は、栽培地と生産者とを紐付けるデータベースである。図５に示すように、栽培地情報６０は、栽培地ＩＤ６１、生産者ＩＤ６２を含む。栽培地ＩＤ６１は、栽培地を一意に識別する情報である。貸し菜園では、例えば、栽培地が区分けされており、栽培地ＩＤ６１はそれぞれの土地と一対一で対応する。生産者ＩＤ６２は、生産者情報５０の生産者ＩＤ５１と同じ意味の情報である。管理サーバ３は、農作物の買い取り時に栽培地情報６０を参照し、生産者を認証する。
図５に示す例では、例えば、栽培地ＩＤ６１が「１０００１」の栽培地は、生産者ＩＤ６２が「１０００１」の生産者と対応する。
管理サーバ３は、栽培地情報６０を栽培地情報データベースとして記憶部２２に保持する。
【００３４】
図６は、作業履歴情報７０の一例を示す図である。作業履歴情報７０は、管理サーバ３が保持するデータであり、栽培地ごとの作業履歴を示すものである。図６に示すように、作業履歴情報７０は、栽培地ＩＤ７１、作物種別ＩＤ７２、作業日時７３、作業内容７４を含む。栽培地ＩＤ７１は、栽培地情報６０の栽培地ＩＤ６１と同じ意味の情報である。作物種別ＩＤ７２は、作物の種別を一意に識別する情報である。作物の種別は、例えば、トマト、きゅうり、キャベツ等である。また、例えば、トマトの場合、大玉トマト、ミディトマト、ミニトマトなど、詳細に区分しても良い。一つの栽培地で複数の種別の農作物を栽培する場合もある。作業日時７３は、農作業を実行した日時を示すものである。作業日時７３は、必要に応じて、時、分、秒まで保存する。作業内容７４は、実行した農作業の内容を示すものである。作業内容７４は、例えば、給水、化学肥料散布、農薬散布、草刈りなどである。
図６に示す例では、例えば、栽培地ＩＤ７１が「１０００１」の栽培地において、作物種別ＩＤ７２が「１０００１」の作物に対して、４月１０日に化学肥料を散布している。
管理サーバ３は、作業履歴情報７０を作業履歴情報データベースとして記憶部２２に保持する。
【００３５】
図７は、検査結果情報８０の一例を示す図である。検査結果情報８０は、買取端末５から送信されるデータであり、農作物の検査結果を示すものである。図７に示すように、検査結果情報８０は、検査ＩＤ８１、作物種別ＩＤ８２、重量８３、見栄え（色）８４、見栄え（傷）８５、糖度８６を含む。検査ＩＤ８１は、検査結果を一意に識別する情報である。作物種別ＩＤ８２は、作業履歴情報７０の作物種別ＩＤ７２と同じ意味の情報である。作物種別ＩＤ８２は、買取端末５に入力される。重量８３は、検査した農作物の重量を示すものである。見栄え（色）８４は、検査した農作物の色合いを示すものである。見栄え（傷）８５は、検査した農作物の傷の本数を示すものである。糖度８６は、検査した農作物の糖度を示すものである。重量８３〜糖度８６は、農作物１個ごとに検査される。
図７に示す例では、例えば、検査ＩＤ８１が「１０００１」の検査結果において、作物種別ＩＤ８２が「１０００１」、重量８３が「Ｘｇ」、見栄え（色）８４が「赤味Ｓ％」、見栄え（傷）８５が「Ｍ本」、糖度８６が「Ｐ度」となっている。
【００３６】
図８は、品質判定表９０の一例を示す図である。品質判定表９０は、管理サーバ３が保持するデータであり、作物種別ごとに、検査結果情報８０に関する判定項目に基づいて品質ランクを判定するための判定基準を示すものである。図８に示すように、品質判定表９０は、作物種別ごとに、検査結果情報８０に関する判定項目として、重さ９１、見栄え（色）９２、見栄え（傷）９３、糖度９４を含む。また、品質判定表９０は、更に、作業履歴情報７０に関する判定項目を含むものであっても良い。図８に示すように、品質判定表９０は、作物種別ごとに、作業履歴情報７０に関する判定項目として、作業履歴（農薬）９５、作業履歴（化学肥料）９６を含む。
【００３７】
品質判定表９０を用いた判定ルールは、例えば、ランクＣの条件に該当する項目が一つでも存在する場合にはランクＣと判定し、ランクＣの条件に該当する項目が０かつランクＢの条件に該当する項目が一つでも存在する場合にはランクＢと判定し、全ての項目がランクＡの条件に該当する場合にはランクＡと判定するものであっても良い。
また、品質判定表９０を用いた判定ルールは、例えば、ランクＡの条件に該当する項目が所定数存在する場合にはランクＡと判定し、ランクＡの条件に該当する項目が所定数存在しないかつランクＢの条件に該当する項目が所定数存在する場合にはランクＢと判定し、それ以外の場合にはランクＣと判定するものであっても良い。
【００３８】
図９は、買取価格情報１００の一例を示す図である。買取価格情報１００は、管理サーバ３が保持するデータであり、作物種別とランクごとに、農作物の単位量当たりの買取価格を示すものである。単位は個数でも良いし重量でも良い。図９に示すように、買取価格情報１００は、作物種別ＩＤ１０１、ランク１０２、単位価格１０３を含む。作物種別ＩＤ１０１は、作業履歴情報７０の作物種別ＩＤ７２と同じ意味の情報である。ランク１０２は、品質判定表９０のランクと同じ意味の情報である。単位価格１０３は、農作物の単位量当たりの買取価格を示すものである。
図９に示す例では、例えば、作物種別ＩＤ１０１が「１０００１」、ランク１０２が「ランクＡ」の単位価格１０３は、「Ｘ円」となっている。
【００３９】
次に、図１０を参照しながら、農作物買取システム１の動作の詳細を説明する。図１０は、第１の実施の形態に係る農作物買取処理の詳細を示すフローチャートである。
【００４０】
買取端末５の制御部３１は、生産者を認証するために、生産者ＩＤを入力し（Ｓ１０１）、管理サーバ３に生産者ＩＤを送信する（Ｓ１０２）。生産者の入力は、例えば、生産者に配布するＩＣカードを読み取る。
管理サーバ３の制御部２１は、受信した生産者ＩＤをキーとして生産者情報５０を検索する。受信した生産者ＩＤが生産者情報５０に存在すれば、管理サーバ３の制御部２１は、正当な権限を有する者として認証し（Ｓ１０３）、認証結果を買取端末５に送信する（Ｓ１０４）。
尚、生産者の認証は、指紋や顔などの生体認証によって行っても良い。この場合には、管理サーバ３の制御部２１は、生産者情報５０に指紋データなどの生体情報を保持しておき、買取端末５から生体情報を受信することで、生産者の認証を行う。
【００４１】
買取端末５の制御部３１は、入力部３５を介して作物種別ＩＤを入力し（Ｓ１０５）、機器制御部３３によって検査機器７を制御して農作物の検査を行い（Ｓ１０６）、作物種別ＩＤ、検査結果を管理サーバ３に送信する（Ｓ１０７）。検査結果は農作物１個ごとの重量、色合い、傷の本数、糖度などを含む。
作物種別ＩＤを入力するための入力部３５は、タッチパネル、キーボードなどである。また、検査機器７によって農作物を撮影して、画像処理によって作物種別を特定しても良い。
【００４２】
管理サーバ３の制御部２１は、受信した作物種別ＩＤ、検査結果に対して、品質判定表９０に基づいて農作物の品質判定を行う（Ｓ１０８）。
品質判定表９０が作業履歴情報７０に関する判定項目を含まない場合、管理サーバ３の制御部２１は、受信した作物種別ＩＤに該当する品質判定表９０の条件と、受信した検査結果を比較し、農作物１個ごとに品質を判定する。
品質判定表９０が作業履歴情報７０に関する判定項目を含む場合、管理サーバ３の制御部２１は、受信した生産者ＩＤをキーとして栽培地情報データベースを検索し、栽培地ＩＤ６１を取得する。更に、取得した栽培地ＩＤ６１をキーとして作業履歴情報データベースを検索する。そして、受信した作物種別ＩＤに該当する品質判定表９０の条件と、受信した検査結果、および検索結果の作業履歴情報７０の作業内容７４を比較し、農作物１個ごとに品質を判定する。
管理サーバ３の制御部２１は、判定したランクごとの個数、または重量をＲＡＭに記憶する。
【００４３】
管理サーバ３の制御部２１は、Ｓ１０８の判定結果に対して、買取価格情報１００に基づいて買取価格の算出を行う（Ｓ１０９）。管理サーバ３の制御部２１は、受信した作物種別ＩＤ、判定したランクに該当する買取価格情報１００を参照し、単位価格１０３と、判定したランクごとの個数（または重量）との積の総和を算出する。例えば、ランクＡが１０個、ランクＢが５個の判定結果に対して、ランクＡの１個当たりの価格が２００円、ランクＢの１個当たりの価格が１００円の場合、１０×２００＋５×１００＝２５００円が買取価格となる。また、例えば、ランクＡが１．５ｋｇ、ランクＢが０．４ｋｇの判定結果に対して、ランクＡのｋｇ当たりの価格が２０００円、ランクＢのｋｇ当たりの価格が１０００円の場合、１．５×２０００＋０．４×１０００＝３４００円が買取価格となる。
尚、複数の作物種別の農作物を買い取る場合には、Ｓ１０８を作物種別ごとに実行してからＳ１０９を１度実行して買取価格の総計を算出しても良いし、Ｓ１０８とＳ１０９を作物種別ごとに実行し、新たなステップとして買取価格の総計を算出しても良い。
【００４４】
管理サーバ３の制御部２１は、Ｓ１０９で算出した買取価格を買取端末５に送信する（Ｓ１１０）。買取端末５は、受信した買取価格を表示部３６に表示する（Ｓ１１１）。
【００４５】
このように、第１の実施の形態における管理サーバ３は、作業履歴情報７０、検査結果情報８０に関する判定項目に基づいて農作物の品質ランクを判定するための判定基準を示す品質判定表９０に基づいて買取価格を決定するので、品質に応じた客観的な判断によって、公平な価格を決定することができる。特に、作業履歴情報７０を利用するので、農作物の安全性を考慮した品質ランクの判定を行い、買取価格を決定することができる。また、検査結果情報８０を利用するので、従来の判定基準に即した品質ランクの判定を行い、買取価格を決定することができる。
【００４６】
＜第２の実施の形態＞
次に、第２の実施の形態について説明する。第１の実施の形態と同じ要素については同じ番号を付して同様の説明を省略する。
図１１は、第２の実施の形態に係るシステム概要図である。図１０に示すように、農作業買取システム１ａは、管理サーバ３、買取端末５、検査機器７、生産者端末１１、作業端末１３、画像取得端末１５、作業機器１７、カメラ１９から構成されている。管理サーバ３、買取端末５、生産者端末１１、作業端末１３、画像取得端末１５は、ネットワーク９を介して接続されている。
【００４７】
生産者端末１１は、農作物を生産する生産者の端末である。生産者端末１１は、生産者が実行した農作業の内容を示す作業履歴を管理サーバ３に送る。
生産者端末１１のハードウエア構成は、図２に示す管理サーバ３のハードウエア構成と同様である。
【００４８】
作業端末１３は、農作業を実行する作業機器１７を制御する端末である。作業端末１３は、作業機器１７による作業が完了すると、作業機器１７が実行した農作業の内容を示す作業履歴を管理サーバ３に送る。
作業端末１３のハードウエア構成は、図３に示す買取端末５のハードウエア構成と同様である。
【００４９】
画像取得端末１５は、農作物の画像を取得するカメラ１９を制御する端末である。画像取得端末１５は、管理サーバ３から受け取る画像取得命令に基づいてカメラ１９を制御し、画像を取得して管理サーバ３に送る。画像取得端末１５は、複数のカメラ１９を制御するものであっても良いし、カメラ１９と１対１に対応するものであっても良い。以下では、画像取得端末１５とカメラ１９が１対１に対応するものとして説明する。
画像取得端末１５のハードウエア構成は、図３に示す買取端末５のハードウエア構成と同様である。
【００５０】
作業機器１７は、作業端末１３の制御に基づいて農作業を実行する。例えば、給水を行う作業機器１７は、特定の栽培地に給水を行う給水装置を備える。給水装置は、スプリンクラーのような散水装置でもよい。また、例えば、肥料を散布する作業機器１７は、特定の栽培地に肥料を自動で散布する肥料散布装置である。また、作業機器１７は、農薬散布、温度調節、遮光、換気などを実行する。
【００５１】
カメラ１９は、画像取得端末１５の制御によって左右方向、上下方向に向きを変えながら、農作物の画像を撮影する。画像取得端末１５は、パン角度によって左右方向の向きを指示し、チルト角度によって上下方向の向きを指示する。パン角度、チルト角度は、生産者が生産者端末１１から入力できるようにしても良い。また、カメラ１９は、必要に応じて、光学ズームによって農作物をズーム撮影しても良い。
【００５２】
次に、図１２から図１５を参照しながら、農作業買取システム１ａで用いられるデータについて説明する。
図１２は、生産者情報５０ａの一例を示す図である。生産者情報５０ａは、管理サーバ３に予め登録されるデータベースであり、農作物の生産者を示すものである。図１２に示すように、生産者情報５０ａは、生産者ＩＤ５１、生産者名５２、人物画像ＩＤ５３、紹介文５４を含む。人物画像ＩＤ５３は、生産者が予め撮影して管理サーバ３に登録した生産者の顔画像ファイルを一意に識別する情報である。顔画像ファイルは、管理サーバ３の記憶部２２に人物画像ＩＤ５３によって検索可能に保持される。紹介文５４は、生産者が予め作成して管理サーバ３に登録した生産者の紹介文である。
図１２に示す例では、例えば、生産者名５２が「Ａ」の生産者に対して、「１０００１」の生産者ＩＤ５１が付与され、人物画像ＩＤ５３が「１０００１」、紹介文５４が「ＸＸＸ」と登録されている。
管理サーバ３は、生産者情報５０ａを生産者情報データベースとして記憶部２２に保持する。
【００５３】
図１３は、画像取得端末情報１１０の一例を示す図である。画像取得端末情報１１０は、管理サーバ３が保持するデータであり、それぞれの画像取得端末１５が撮影する栽培地と撮影条件を示すものである。図１３に示すように、画像取得端末情報１１０は、端末ＩＤ１１１、栽培地ＩＤ１１２、撮影方向１１３、撮影倍率１１４を含む。端末ＩＤ１１１は、画像取得端末１５を一意に識別する情報である。栽培地ＩＤ１１２は、栽培地情報６０の栽培地ＩＤ６１と同じ意味の情報である。撮影方向１１３は、パン角度、チルト角度によって定義されるカメラ１９の撮影方向を示す情報である。撮影倍率１１４は、カメラ１９のズーム撮影の倍率を示す情報である。尚、一つの栽培地で複数種別の農作物を栽培する場合、画像取得端末情報１１０には作物種別ＩＤも含める。
図１３に示す例では、端末ＩＤ１１１が「１０００１」に紐付くカメラ１９が、栽培地ＩＤ１１２が「１０００１」の栽培地を、「パン角度Ｘ１度、チルド角度Ｙ１度」の撮影方向１１３、「Ｚ１倍」の撮影倍率１１４によって撮影する。
【００５４】
図１４は、生育履歴情報１２０の一例を示す図である。生育履歴情報１２０は、管理サーバ３が保持するデータであり、画像取得端末１５が撮影した農作物の画像を管理するためのものである。図１４に示すように、生育履歴情報１２０は、栽培地ＩＤ１２１、記録日時１２２、生育画像ＩＤ１２３を含む。栽培地ＩＤ１２１は、栽培地情報６０の栽培地ＩＤ６１と同じ意味の情報である。記録日時１２２は、画像を撮影した日時を示すものである。記録日時１２２は、必要に応じて、時、分、秒まで保存する。生育画像ＩＤ１２３は、画像取得端末１５から受信した農作物の生育画像ファイルを一意に識別する情報である。生育画像ファイルは、管理サーバ３の記憶部２２に生育画像ＩＤ１２３によって検索可能に保持される。尚、一つの栽培地で複数種別の農作物を栽培する場合、生育履歴情報１２０には作物種別ＩＤも含める。
図１４に示す例では、栽培地ＩＤ１２１が「１０００１」、記録日時１２２が「４月１日」の生育画像ＩＤ１２３は「１０００１」である。
管理サーバ３は、生育履歴情報１２０を生育履歴情報データベースとして記憶部２２に保持する。
【００５５】
図１５は、販売コンテンツ情報１３０の一例を示す図である。販売コンテンツ情報１３０は、管理サーバ３が保持するデータであり、農作物の販売促進のために作成するコンテンツ（ＰＯＰ広告：Ｐｏｉｎｔ  Ｏｆ  Ｐｕｒｃｈａｓｅ  Ａｄｖｅｒｔｉｓｉｎｇ）を管理するためのものである。図１５に示すように、販売コンテンツ情報１３０は、作物種別ＩＤ１３１、コンテンツＩＤ１３２を含む。作物種別ＩＤ１３１は、作業履歴情報７０の作物種別ＩＤ７２と同じ意味の情報である。コンテンツＩＤ１３２は、作物種別ごとに予め定めたコンテンツのフォーマットファイルを一意に識別する情報である。コンテンツのフォーマットファイルは、管理サーバ３の記憶部２２にコンテンツＩＤ１３２によって検索可能に保持される。フォーマットファイルは、例えば、生産者の顔写真、栽培地の写真、紹介文などを配置する位置が定義される。そして、フォーマットファイルは、定型文を含めても良い。また、フォーマットファイルは、品質に応じたフレーズ、例えば、ランクＡのトマトに対して「最高品質のトマトです！」などを動的に挿入するプログラムを含めても良い。また、フォーマットファイルは、作業履歴に応じたフレーズ、例えば、農薬を一度も散布していない場合には「農薬は一度も使用しておりません。」などを動的に挿入するプログラムを含めても良い。
図１５に示す例では、例えば、作物種別ＩＤ１３１が「１０００１」の作物種別に対して、コンテンツＩＤ１３２が「１０００１」のフォーマットファイルを対応付けている。
尚、店頭での表示形態は、作成したコンテンツを印刷して紙媒体を展示しても良いし、電子媒体のまま表示端末に表示するようにしても良い。
【００５６】
次に、図１６から図２１を参照しながら、農作物買取システム１ａの動作の詳細について説明する。
図１６は、第１の作業履歴登録処理の流れを示すフローチャートである。第１の作業履歴登録処理は、生産者が農作業を実行するごとに行われる。
生産者端末１１の制御部２１は、栽培地ＩＤ７１、作物種別ＩＤ７２、作業日時７３、作業内容７４を含む作業履歴情報７０を入力し（Ｓ２０１）、作業履歴情報７０を管理サーバ３に送信する（Ｓ２０２）。
管理サーバ３の制御部２１は、作業履歴情報７０を受信すると、作業履歴情報７０を記憶部２２の作業履歴情報データベースに登録する（Ｓ２０３）。
【００５７】
図１７は、第２の作業履歴登録処理の流れを示すフローチャートである。第２の作業履歴登録処理は、作業端末１３が農作業を実行するごとに行われる。
作業端末１３の制御部３１は、栽培地ＩＤ７１、作物種別ＩＤ７２、作業日時７３、作業内容７４を含む作業履歴情報７０を生成し（Ｓ３０１）、作業履歴情報７０を管理サーバ３に送信する（Ｓ３０２）。
管理サーバ３の制御部２１は、作業履歴情報７０を受信すると、作業履歴情報７０を記憶部２２の作業履歴情報データベースに登録する（Ｓ３０３）。
図１６、図１７の処理によって、管理サーバ３の作業履歴情報データベースには、農作物の栽培のために行われた全ての農作業が登録される。
【００５８】
図１８は、生育状況取得処理の流れを示すフローチャートである。生育状況取得処理は、管理サーバ３の定期実行タスクとして登録され、定期的に自動実行される。例えば、管理サーバ３は、毎月１回所定の日時に生育状況取得処理を自動実行する。
管理サーバ３の制御部２１は、生育状況の画像取得命令を画像取得端末１５に送信する（Ｓ４０１）。
画像取得端末１５の制御部３１は、画像取得端末情報１１０に基づいてカメラ１９を制御して農作物の画像を取得し（Ｓ４０２）、取得した画像を管理サーバ３に送信する（Ｓ４０３）。
管理サーバ３の制御部２１は、受信した画像を記憶部２２に保存するとともに、生育履歴情報１２０を記憶部２２の生育履歴情報データベースに登録する（Ｓ４０４）。
図１８の処理によって、管理サーバ３の生育履歴情報データベースには、農作物の発芽、着花、成熟といった生育状況の様子が時系列で登録される。生育履歴情報データベースは、後述する販売促進用のコンテンツ作成処理に利用される。
【００５９】
図１９は、第２の実施の形態に係る農作物買取処理の詳細を示すフローチャートである。
買取端末５の制御部３１は、生産者を認証するために、生産者ＩＤを入力し（Ｓ５０１）、管理サーバ３に生産者ＩＤを送信する（Ｓ５０２）。
管理サーバ３の制御部２１は、受信した生産者ＩＤをキーとして生産者情報５０ａを検索する。受信した生産者ＩＤが生産者情報５０ａに存在すれば、管理サーバ３の制御部２１は、正当な権限を有する者として認証し（Ｓ５０３）、認証結果を買取端末５に送信する（Ｓ５０４）。
【００６０】
買取端末５の制御部３１は、入力部３５を介して作物種別ＩＤを入力し（Ｓ５０５）、機器制御部３３によって検査機器７を制御して農作物の検査を行い（Ｓ５０６）、作物種別ＩＤ、検査結果を管理サーバ３に送信する（Ｓ５０７）。検査結果は農作物１個ごとの重量、色合い、傷の本数、糖度などを含む。
【００６１】
管理サーバ３の制御部２１は、受信した作物種別ＩＤ、検査結果に対して、品質判定表９０に基づいて農作物の品質判定を行う（Ｓ５０８）。管理サーバ３の制御部２１は、受信した作物種別ＩＤに該当する品質判定表９０の条件と、受信した検査結果を比較し、農作物１個ごとに品質を判定する。そして、管理サーバ３の制御部２１は、判定したランクごとの個数、または重量をＲＡＭに記憶する。
【００６２】
管理サーバ３の制御部２１は、販売コンテンツ情報１３０を参照し、コンテンツのフォーマットファイルに基づいて、販売用コンテンツを生成する（Ｓ５０９）。管理サーバ３の制御部２１は、コンテンツのフォーマットファイルに含まれるプログラムに従って、作業履歴情報７０、生産者情報５０ａ、検査結果のうち少なくとも１つが特定の条件をみたす場合には、予め登録されている特定コンテンツを含めて販売用コンテンツを動的に生成する。例えば、Ｓ５０８で受信した検査結果、作業履歴情報７０を参照して、品質や栽培方法に応じたフレーズを含む販売用コンテンツを生成する。また、例えば、生産者情報５０ａを参照して生産者の顔画像や紹介文が存在するかどうか確認し、存在する場合には生産者の顔画像や紹介文を含む販売用コンテンツを生成する。また、例えば、生育履歴情報１２０を参照して発芽、着花、成熟の様子を示す複数の生育画像が存在するかどうか確認し、存在する場合には生育画像を含む販売用コンテンツを生成する。
【００６３】
管理サーバ３の制御部２１は、Ｓ５０８の判定結果に対して、買取価格情報１００に基づいて買取価格の算出を行う（Ｓ５１０）。また、管理サーバ３の制御部２１は、Ｓ５０９において生産者の顔画像や紹介文を含む販売用コンテンツを生成する場合には、買取価格に所定額を上乗せするようにしても良い。例えば、算出した買取価格の総額に対して、所定割合を上乗せしても良いし、一律所定の金額を上乗せしても良い。これは、生産者の顔画像や紹介文の提供に対する対価である。
【００６４】
管理サーバ３の制御部２１は、Ｓ５１０で算出した買取価格、Ｓ５０９で生成した販売用コンテンツを買取端末５に送信する（Ｓ５１１）。
買取端末５の制御部３１は、受信した買取価格、販売用コンテンツを表示部３６に表示する（Ｓ５１２）。販売用コンテンツを表示部３６に表示することによって、生産者に対して、販売用コンテンツの利用に同意するかどうか確認を取ることができる。
【００６５】
図２０は、買取価格更新処理の流れを示すフローチャートである。買取価格更新処理は、管理サーバ３の定期実行タスクとして登録され、定期的に自動実行される。例えば、管理サーバ３は、毎日１回所定の時刻に買取価格更新処理を自動実行する。
管理サーバ３の制御部２１は、買取価格を更新するための参考情報を取得する（Ｓ６０１）。参考情報は、例えば、インターネット等を介して入手可能な公的機関などが発表する日別の卸売価格情報、他社店舗販売価格情報等（市場価格情報）である。また、参考情報は、例えば、過去の販売履歴や当日の天候などに基づいて予想された当日の需要量情報等である。また、参考情報は、例えば、当日の仕入量情報等である。
【００６６】
管理サーバ３の制御部２１は、Ｓ６０１で取得した参考情報を基に、買取価格情報１００の単位価格１０３を更新する（Ｓ６０２）。管理サーバ３の制御部２１は、例えば、当日の予想需要量、仕入量などを考慮して市場価格からの増減割合を定め、買取価格情報１００の単位価格１０３を設定する。例えば、当日の予想需要量に対して仕入量が少ない場合、単位価格１０３を相対的に市場価格より高く設定しても良い。
図２０の処理によって、市場価格と連動した妥当な買取価格を生産者に提示することができる。
【００６７】
図２１は、作業提案処理の流れを示すフローチャートである。作業提案処理は、管理サーバ３の定期実行タスクとして登録され、定期的に自動実行される。例えば、管理サーバ３は、毎日１回所定の時刻に作業提案処理を自動実行する。
管理サーバ３の制御部２１は、画像取得端末１５に画像取得命令を送信し、画像取得端末１５から農作物の画像を取得して、生育状況を確認する（Ｓ７０１）。管理サーバ３は、農作物の画像に対して画像処理を行い、成熟度を判定して生育状況を確認する。例えば、農作物がトマトの場合、色彩の赤味レベル（例えばＲＧＢ表色系のＲ成分の閾値、差分閾値、Ｌａｂ表色系の３軸の閾値、差分閾値など）によって成熟度を判定する。
【００６８】
管理サーバ３の制御部２１は、Ｓ７０１の成熟度に応じて、生産者に対して農作業を提案するための作業提案情報を生成し（Ｓ７０２）、生成した作業提案情報を生産者端末１１に送信する（Ｓ７０３）。例えば、成熟度が収穫可能なレベルの場合、生産者に対して農作物の収穫を提案するための作業提案情報を生成する。作業提案情報には、現在の農作物の画像を含めても良い。また、作業提案情報には、該当する作物種別の買取価格とともに、収穫した農作物の売買を提案する情報を含めても良い。
尚、生産者端末１１への作業提案情報の送信は、メールサーバ（不図示）を介して、予め登録される生産者のメールアドレス宛に電子メールとして送信しても良い。
生産者端末１１の制御部２１は、受信した作業提案情報を表示部２６に表示する（Ｓ７０４）。
図２１の処理によって、貸し菜園をスーパー等が運営している場合には、スーパー等の来客を増やすことができる。また、生産者は、適切な時期に適切な農作業を行うことができる。
【００６９】
第２の実施の形態における農作物買取システム１ａは、コンテンツのフォーマットファイルを登録し、買取時に農作物の検査を行い、生産者情報５０ａ、作業履歴情報７０、生育歴情報１２０等を蓄積しておくことで、買い取った農作物の良さを一般の消費者に分かり易く正確に伝えることが可能な販売用コンテンツを作成することができる。例えば、生育履歴情報１２０を参照し、時系列で農作物の生育状況を示す画像を販売用コンテンツに含める場合、農作物の栽培過程を分かり易く表現することができる。
【００７０】
以上、添付図面を参照しながら本発明に係る農作物買取システム等の好適な実施形態について説明したが、本発明は前述した実施形態に限定されるものではない。当業者であれば、本願で開示した技術的思想の範疇内において、各種の変更例または修正例に想到し得ることは明らかであり、それらについても当然に本発明の技術的範囲に属するものと了解される。
【符号の説明】
【００７１】
１、１ａ………農作物買取システム
３………管理サーバ
５………買取端末
７………検査機器
９………ネットワーク
１１………生産者端末
１３………作業端末
１５………画像取得端末
１７………作業機器
１９………カメラ
【図１】
2010287021.tif 000003
【図２】
2010287021.tif 000004
【図３】
2010287021.tif 000005
【図４】
2010287021.tif 000006
【図５】
2010287021.tif 000007
【図６】
2010287021.tif 000008
【図７】
2010287021.tif 000009
【図８】
2010287021.tif 000010
【図９】
2010287021.tif 000011
【図１０】
2010287021.tif 000012
【図１１】
2010287021.tif 000013
【図１２】
2010287021.tif 000014
【図１３】
2010287021.tif 000015
【図１４】
2010287021.tif 000016
【図１５】
2010287021.tif 000017
【図１６】
2010287021.tif 000018
【図１７】
2010287021.tif 000019
【図１８】
2010287021.tif 000020
【図１９】
2010287021.tif 000021
【図２０】
2010287021.tif 000022
【図２１】
2010287021.tif 000023